(57)【特許請求の範囲】
【請求項１】
ネットワークを構成する１又は２以上の被管理装置に対してパスの設定及び該設定したパスに対する各種保守機能の制御を実行可能なネットワーク管理装置において、
前記パスの設定時に、該パスの設定に関連して実行する制御機能の実行要否情報を前記パスの設定情報に関連付けて運用テーブルに登録する登録手段と、
前記制御機能の選択時に、前記運用テーブルから当該制御機能が実行要となっているパスの設定情報を抽出して画面に表示する抽出手段と、
前記制御機能の実行時に、前記運用テーブル中の当該制御機能の実行対象となったパスの設定情報に対応する制御機能の実行要否情報を否に変更する変更手段とを備えることを特徴とするネットワーク管理装置。
【請求項２】
ネットワークを構成する１又は２以上の被管理装置に対してパスの設定及び該設定したパスに対する各種保守機能の制御を実行可能なネットワーク管理装置において、
前記パスの設定時に、該パスの設定に関連して必要となる１又は２以上の制御機能毎に前記パスの設定情報を関連付けて運用テーブルに登録する登録手段と、
前記制御機能の選択時に、前記運用テーブルから当該制御機能対応に登録されているパスの設定情報を抽出して画面に表示する抽出手段とを備えることを特徴とするネットワーク管理装置。
【発明の詳細な説明】
【０００１】
【発明の属する技術分野】
本発明はネットワーク管理装置に関し、更に詳しくはネットワークを構成する１又は２以上の被管理装置に対してパスの設定及び該設定したパスに対する各種保守機能の制御を実行可能なネットワーク管理装置に関する。
【０００２】
ネットワークシステムでは、多数の伝送路が新設されると共に、各ユーザに所要の通信サービスを提供するためのパスの設定（接続，変更，開放等）及び該設定したパスに対する各種保守機能（パスの疎通、ループ，冗長パスの切替試験等）の制御が行われているが、このようなパスの設定，制御の作業は煩雑かつ膨大なものとなるため、能率よく行える事が望まれる。
【０００３】
【従来の技術】
図８は従来技術を説明する図で、典型的なネットワーク管理システム（ＮＭＳ：Network Management System）の構成を示している。ネットワーク管理システムは、電気通信管理網(ＴＭＮ：Telecommunicaion Management Network)に従った階層構造を有する。即ち、１００は下位のネットワーク設備層であり、ここには、被管理装置である各種のネットワーク設備装置（交換機，伝送装置等）１０１Ａ〜１０１Ｃが含まれる。２００は中間のネットワーク設備管理層であり、ここには、上位のネットワーク管理層からの指令に従って下位の被管理装置内における伝送路端点間の接続（クロスコネクト）制御等を行うネットワーク設備制御（エージェント）装置２０１Ａ，２０１Ｂ等が含まれる。そして、３００は上位のネットワーク管理層であり、ここには、ネットワーク管理に係る各種サービス機能（パスの設定，削除，試験，監視等)を実行するネットワーク管理制御装置３０１Ａ，３０１Ｂ等が含まれる。
【０００４】
ネットワーク管理制御装置３０１におけるパスの設定（接続）は、次のようなメッセージの入力により行われる。
【０００５】
パス１の接続
Ｍ−ＣＲＥＡＴＥ  ＶＣ１
Ｍ−ＣＲＥＡＴＥ  ＶＣ２
ＭーＡＣＴＩＯＮ  ＣＯＮＮＥＣＴ ＶＣ１，ＶＣ２
パス２の接続
Ｍ−ＣＲＥＡＴＥ  ＶＣ３
Ｍ−ＣＲＥＡＴＥ  ＶＣ４
ＭーＡＣＴＩＯＮ  ＣＯＮＮＥＣＴ ＶＣ３，ＶＣ４
また、必要なら不要となったパスの開放も併せて行われる。
【０００６】
パス３の開放
ＭーＡＣＴＩＯＮ  ＤＩＳＣＯＮＮＥＣＴ ＶＣ５，ＶＣ６
Ｍ−ＤＥＬＥＴＥ  ＶＣ５
Ｍ−ＤＥＬＥＴＥ  ＶＣ６
更に、上記パスを接続した後は、各パスが正常に機能するか否かの必要な試験（疎通確認等）が行われる。また、冗長パス（２重回線）の設定をした時は冗長パス間の切替制御確認も必要となる。
【０００７】
従来は、パスの設定とその機能制御とをパスの設定毎に行っていた。しかし、日々設定されるパス数は益々増大しており、このために、まず複数のパスをまとめて設定して後、各パスに対する試験制御をまとめて行うところの所謂バッチ的な処理方法が多く採られている。更に、後者の場合は、以下の２つの操作手順が採られる。
▲１▼  特定のパスを選択して後、該パスに対する制御機能（画面）を起動し、必要な制御パラメータを設定して制御機能を実行する
▲２▼  制御機能（画面）を起動して後、特定のパスを選択し、必要な制御パラメータを設定して制御機能を実行する。
【０００８】
【発明が解決しようとする課題】
しかし、上記▲１▼，▲２▼の何れの場合でも、特定のパス（制御対象）を選択する際には、予め設定された全てのパスの情報が画面に表示されてしまうため、次にどのパスの制御を行うのかをオペレータが覚えて置かなくてはならず、パスの選択作業が極めて繁雑であった。また、もし誤った（例えば稼働中の）パスに制御（試験）を実施してしまうと、通信断となるため、システムの安全な運用に支障を来すおそれも少なく無かった。
【０００９】
本発明は上記従来技術の問題点に鑑み成されたもので、その目的とする所は、保守制御を行うための制御対象（パス等）を容易かつ適正に選択可能なネットワーク管理装置を提供することにある。
【００１０】
【課題を解決するための手段】
上記の課題は例えば図１の構成により解決される。即ち、本発明（１）のネットワーク管理装置は、ネットワークを構成する１又は２以上の被管理装置に対してパスの設定及び該設定したパスに対する各種保守機能の制御を実行可能なネットワーク管理装置において、前記パスの設定時に、該パスの設定に関連して実行する制御機能の実行要否情報（図の○／×で示す）を前記パスの設定情報に関連付けて運用テーブル２１に登録する登録手段３１と、前記制御機能の選択時に、前記運用テーブル２から当該制御機能が実行要（○）となっているパスの設定情報を抽出して画面に表示する抽出手段３２と、前記制御機能の実行時に、前記運用テーブル中の当該制御機能の実行対象となったパスの設定情報に対応する制御機能の実行要否情報を否（×）に変更する変更手段３３とを備えるものである。
【００１１】
図１において、例えばパス１の設定時には、登録手段３１は、該パス１の設定に関連して実行する制御機能の実行要否情報（疎通試験機能Ａ＝○，ループ試験機能Ｂ＝×，冗長切替試験機能Ｃ＝×）を前記パス１の設定情報（データ１）に関連付けて運用テーブル２１に登録する。他のパス２〜パス５の設定についても同様である。
【００１２】
次に、例えば制御機能（疎通試験機能Ａ）の選択時には、抽出手段３２は、前記運用テーブル２１から当該制御機能Ａが実行要（○）となっているパスの設定情報（図の例ではデータ１，データ２，データ５）を抽出して画面に表示する。従って、オペレータは制御（保守）を行うための制御対象（パス）を容易かつ適正に選択可能となる。
【００１３】
そして、変更手段３３は、制御機能の実行時に、運用テーブル２１中の当該制御機能の実行対象となったパスの設定情報に対応する制御機能の実行要否情報を否（×）に変更する。
【００１４】
図１において、例えば、今、制御対象（パス）５に対する制御機能Ａを実行したとすると、変更手段３３は、運用テーブル２１中の当該制御機能Ａの実行対象となったパス５の設定情報（データ５）に対応する制御機能の実行要否情報を否（×）に変更する。従って、オペレータは、次に制御未実行の制御対象（パス１，２）を容易かつ適正に選択可能となる。
【００１５】
また上記の課題は例えば図７の構成により解決される。即ち、本発明（２）のネットワーク管理装置は、ネットワークを構成する１又は２以上の被管理装置に対してパスの設定及び該設定したパスに対する各種保守機能の制御を実行可能なネットワーク管理装置において、パスの設定時に、該パスの設定に関連して必要となる１又は２以上の制御機能毎に前記パスの設定情報を関連付けて運用テーブル２１ａ，２１ｂに登録する登録手段４１と、制御機能の選択時に、前記運用テーブル２１ｂから当該制御機能対応に登録されているパスの設定情報を抽出して画面に表示する抽出手段４２とを備えるものである。
【００１６】
図７において、例えばパス２の設定時には、登録手段４１は、該パス２の設定に関連して必要となる１又は２以上の制御機能Ａ，Ｂ毎に前記パス２の設定情報（データ２）を関連付けて運用テーブル２１ａ，２１ｂに登録する。他のパス１，パス３〜パス５の設定についても同様である。
【００１７】
次に、例えば制御機能（疎通試験機能Ａ）の選択時には、抽出手段４２は、前記運用テーブル２１ｂから当該制御機能Ａの対応に登録されているパスの設定情報（図の例ではデータ１，データ２，データ５に各対応する識別ＩＤ番号１，２，５）を抽出して画面に表示する。従って、オペレータは制御（保守）を行うための制御対象（パス）を容易かつ適正に選択可能となる。
【００１８】
好ましくは、制御機能Ａの実行時に、運用テーブル２１ｂ中の当該制御機能Ａの対応に登録されたパスの設定情報ＩＤ１，ＩＤ２，ＩＤ５のうち、当該制御機能Ａの実行対象となったパス（例えばパス５）の設定情報ＩＤ５を削除する削除手段４３を更に備える。従って、オペレータは、次に制御未実行の制御対象（パス１，２）を容易かつ適正に選択可能となる。
【００１９】
【発明の実施の形態】
以下、添付図面に従って本発明に好適なる実施の形態を詳細に説明する。なお、全図を通して同一符号は同一又は相当部分を示すものとする。
【００２０】
図２は実施の形態によるネットワーク管理システムのブロック図で、図において、１０は実施の形態によるネットワーク管理装置、１１はオペレータ（保守者）が操作をするコンソール（ＣＳＬ）、１２はネットワーク管理装置の本体（ネットワーク管理制御装置）、１３はコンソール１１と本体１２間のグラフィカルなコミュニケーションを可能とするグラフィックユーザインタフェース（ＧＵＩ）、１４はパス等の設定機能部、１５はパスに対する各種の保守や試験機能の制御機能部、１６はネットワーク設備制御（エージェント）装置２０１との間でパスの設定／制御に係る各種コマンドや監視データのやり取りを行う通信制御部、１７はパスの設定／制御に係る運用データの管理を行う運用データ管理部、２０はハードディスク装置等に設けられたデータベース（ＤＢ）、２１はパスの設定／制御に係る運用データを記録保持する運用テーブルである。
【００２１】
なお、上記の各機能ブロック１３〜１７はＣＰＵ（不図示）のプログラム実行により実現される。この場合に、上記図１の登録手段３１の機能は図２の設定機能部１４と運用データ管理部１７とにより実現され、また上記図１の抽出手段３２及び変更手段３３の各機能は図２の制御機能部１５と運用データ管理部１７とにより実現される。その他の構成については上記図８で述べたものと同様で良い。
【００２２】
次に実施の形態によるパスの設定動作を詳細に説明する。図３は実施の形態によるパス設定処理のシーケンス図である。オペレータがコンソール１１から設定機能部１４の処理を起動すると、この処理に入力し、コンソール１１の画面にパスの設定画面を表示する。
【００２３】
ステップＳ１１ではオペレータがパスの設定情報を入力する。ステップＳ１２では、設定機能部１４が、入力されたパスの設定情報を通信制御部１４に通知すると共に、ネットワーク設備制御装置２０１を介して、被管理装置１０１に対してデータ（パス）の設定を行なう。またステップＳ１３では前記パスの設定情報を運用データ管理部１７に通知する。ステップＳ１４では、運用データ管理部１７が、入力されたパスの設定情報に基づきネットワーク管理のための運用データを作成する。
【００２４】
図５（Ｂ）に運用データの一例を示す。ここで、「ＩＤ」は１パスの設定（接続，開放）操作を単位とする処理の識別番号（パスＩＤ）を表し、運用データ管理部１７により入力の設定情報（一連の詳細データ）に対してシステム内で一意の数字が割り付けられ、付与される。「設定情報」には、オペレータにより入力されたパス設定の詳細データが記録される。
【００２５】
更に「制御機能」の欄が設けられ、ここにはパスの設定に関連して実行する制御機能の実行要否の情報が記録される。例えば、「Ａ」はパスの疎通試験、「Ｂ」はパスのループ試験、「Ｃ」は冗長パスの切替制御試験に対応する。制御実行要否の情報は、運用データ管理部１７により、パスの設定情報（情報のタイプ，書式又はフォーマット等）から判断して、自動的に付与される。例えば、単一パスの設定では制御機能Ａが実行要（○）で、かつ制御機能Ｂ，Ｃは実行不要（×）とされる。一方、冗長パスの設定では制御機能Ａが実行不要（×）で、かつ制御機能Ｂ，Ｃが共に実行要（○）とされる。但し、制御機能Ａに相当する試験内容は制御機能Ｂで行われる。
【００２６】
好ましくは、パスの設定情報と実行要否情報との関係を対応付けるような参照テーブル（不図示）を別途に用意しておき、運用データ管理部１７は、該テーブルを参照して制御実行要否の情報を自動的に付与する。
【００２７】
こうして作成された運用データは、コンソール１１の画面に表示されると共に、オペレータは、必要ならコンソール１１を介して、画面の実行要（○）の情報を実行不要（×）に、又は実行不要（×）の情報を実行要（○）に任意に変更可能である。従って、様々な状況に柔軟に対処できる。図５（Ａ）に運用データの内容が反映された設定画面の表示例を示す。
【００２８】
図３に戻り、ステップＳ１５では、運用データ管理部１７が、作成した運用データを運用テーブル２１に登録する。一方、ステップＳ１６では、設定機能部１４が、コンソール１１からの入力に基づきパス設定操作の完了か否かを判別すると共に、完了でない場合はステップＳ１１に戻り、次の設定情報の入力に基づき上記同様の処理を行う。そして、やがて一連のパスの設定操作を完了すると、パス設定処理を終了する。
【００２９】
次に実施の形態による制御機能の実行動作を詳細に説明する。図４は実施の形態による制御機能実行処理のシーケンス図である。オペレータがコンソール１１から制御機能部１５の処理を起動すると、この処理に入力し、コンソール１１の画面に制御画面を表示する。
【００３０】
ステップＳ２１ではオペレータが実行したい制御機能Ａ，Ｂ又はＣを選択する。ステップＳ２２では、制御機能部１５が、選択された制御機能の情報を運用データ管理部１７に通知する。ステップＳ２３では、運用データ管理部１７が、通知された制御機能の情報で運用テーブル２１を参照（検索）すると共に、当該制御機能が実行要（○）となっている制御対象（パスのＩＤ）を抽出し、制御機能部１５に通知する。ステップＳ２４では、制御機能部１５が制御画面情報を作成して、コンソール１１の画面に表示する。
【００３１】
図６（Ａ）に制御機能Ａの制御画面を示す。なお、この制御画面を作成する元になった運用テーブル２１の内容（運用データ）は上記図５（Ｂ）に示したものと同様である。ここで、制御機能Ａにつき実行要（○）となっている制御対象はパスＩＤ＝１，２及び５である。図６（Ａ）の制御画面では、このことが選択対象の表示欄にプルダウン表示されている。即ち、制御機能Ａを実行するに当たり、この時点で選択可能（即ち、制御要又は制御未実行）な制御対象はパスＩＤ＝１，２又は５である。なお、必要なら、パスＩＤ＝１，２及び５に対応する設定の詳細データ１，２及び５が併せて表示される。
【００３２】
図４に戻り、ステップＳ２５では、オペレータが、所望の制御対象を選択する。また必要なら、当該制御機能Ａの実行に必要な各種パラメータを設定する。この場合に、一部のパラメータは図６（Ａ）に示す如くデフォルトの情報が表示され、オペレータは必要ならその情報を変更できる。そして、制御機能を実行する場合は、アイコン「実行」をクリックする。
【００３３】
ステップＳ２６では、制御機能部１５が、通信制御部１６及びネットワーク設備制御装置２０１を介し、被管理装置１０１における当該制御対象（例えばパスＩＤ＝５）に対して制御機能Ａ（疎通試験）を実行する。ステップＳ２７では制御機能Ａに関する一連の制御の実行完了を待ち、やがて、正常に完了すると、ステップＳ２８では、その旨を運用データ管理部１７に通知する。
【００３４】
運用データ管理部２７は、制御対象（ＩＤ＝５）に対する制御機能Ａの実行完了の通知を受けた事により、運用テーブル２１の対応する実行要の情報を実行不要（実行完了）に変更する。図６（Ｂ）にこの場合における運用データを示す。ここでは、制御機能Ａの欄の、制御対象ＩＤ＝５に対応する実行要否の情報が否（×）に変更されている。
【００３５】
図４に戻り、ステップＳ３０では、制御機能部１５が、コンソール１１からの指示に従い、制御機能Ａが実行要となっている一連の制御対象に対する制御が完了か否かを判別しており、完了でない場合はステップＳ２１に戻り、上記同様にして次に選択された制御対象に対する制御機能Ａの実行を行う。このとき、残っている制御対象はパスＩＤ＝１，２であり、ステップＳ２４ではこの状態が図６（Ａ）の画面表示に反映される。従って、オペレータは、制御機能Ａを行うための制御対象（パス）を容易かつ適正に選択可能となる。
【００３６】
そして、全ての制御対象に対する制御機能Ａの実行を完了し、又はオペレータが制御機能Ａの実行を途中でやめると、ステップＳ３０の判別では制御の実行完了となり、この処理を終了する。なお、オペレータが制御機能Ａの実行を途中でやめた場合でも、未処理の制御対象に対する実行要否の情報は実行要（○）となっているため、いつでも適正な制御対象に対して制御機能Ａを実行（再会）できる。他の制御機能Ｂ，Ｃについても同様である。
【００３７】
図７は他の実施の形態によるネットワーク管理装置を説明する図で、パスの設定に関連して必要となる制御機能Ａ，Ｂ，Ｃ毎にパスの設定情報を関連付けて運用テーブル２１ａ，２１ｂに登録する場合を示している。
【００３８】
図において、４１は、パスの設定時に、該パスの設定に関連して必要となる制御機能毎に前記パスの設定情報（この例ではパスＩＤ）を関連付けて運用テーブル２１ａ，２１ｂに登録する登録手段、４２は、ある制御機能の選択時に、運用テーブル２１ａ，２１ｂから当該制御機能対応に登録されているパスの設定情報を抽出して画面に表示する抽出手段、そして、４３は、ある制御機能の実行時に、運用テーブル中の当該制御機能対応に登録されたパスの設定情報（パスＩＤ）のうち、当該制御機能の実行対象となったパスの設定情報（パスＩＤ）を削除する削除手段である。
【００３９】
なお、図７は他の実施の形態によるネットワーク管理装置の原理的な構成を示しており、具体的には、上記図２の構成により実現可能である。この場合に、登録手段４１の機能は図２の設定機能部１４と運用データ管理部１７とにより実現され、また抽出手段４２及び削除手段４３の各機能は図２の制御機能部１５と運用データ管理部１７とにより実現される。
【００４０】
図７を参照して一例の動作を具体的に説明する。例えばパス２の設定時には、登録手段４１は、該パス２の設定に関連して必要となる制御機能Ａ，Ｂ毎にパス２の設定情報（データ２とパスＩＤ２）を相互に関連付けて運用テーブル２１ａ，２１ｂ上に登録する。他のパス１，パス３〜パス５の設定についても同様である。
【００４１】
次に、オペレータによる例えば制御機能（疎通試験機能）Ａの選択時には、抽出手段４２は、運用テーブル２１ｂから当該制御機能Ａの対応に登録されているパスＩＤ＝１，２及び５の各設定情報を抽出して制御画面に表示する。制御画面への表示態様は上記図６（Ａ）に示したものと同様でよい。
【００４２】
そして、例えば制御対象（パスＩＤ＝５）に対する制御機能Ａの実行完了時には、削除手段４３は、運用テーブル２１ｂ中の制御機能Ａの対応に登録されている制御対象（パスＩＤ＝５）のＩＤ情報を削除する。
【００４３】
本他の実施の形態では、運用テーブル２１が、設定情報の管理部２１ａと、機能制御の管理部２１ｂとに分かれていると共に、機能制御の管理部２１ｂの情報は、各制御機能毎に、夫々実行が必要な制御対象についてのみ、そのパスＩＤが記録されるため、運用テーブル２１のメモリ使用量を実質的に削減できる。
【００４４】
なお、上記各実施の形態は具体例を伴って説明をしたが、本発明はこれらに限定されない。
【００４５】
また、上記本発明に好適なる複数の実施の形態を述べたが、本発明思想を逸脱しない範囲内で各部の構成、制御、処理及びこれらの組み合わせの様々な変更が行えることは言うまでも無い。
【００４６】
（付記１）  ネットワークを構成する１又は２以上の被管理装置に対してパスの設定及び該設定したパスに対する各種保守機能の制御を実行可能なネットワーク管理装置において、パスの設定時に、該パスの設定に関連して実行する制御機能の実行要否情報を前記パスの設定情報に関連付けて運用テーブルに登録する登録手段と、制御機能の選択時に、前記運用テーブルから当該制御機能が実行要となっているパスの設定情報を抽出して画面に表示する抽出手段とを備えることを特徴とするネットワーク管理装置。
【００４７】
（付記２）  制御機能の実行時に、運用テーブル中の当該制御機能の実行対象となったパスの設定情報に対応する制御機能の実行要否情報を否に変更する変更手段を更に備えることを特徴とする付記１に記載のネットワーク管理装置。
【００４８】
（付記３）  ネットワークを構成する１又は２以上の被管理装置に対してパスの設定及び該設定したパスに対する各種保守機能の制御を実行可能なネットワーク管理装置において、パスの設定時に、該パスの設定に関連して必要となる１又は２以上の制御機能毎に前記パスの設定情報を関連付けて運用テーブルに登録する登録手段と、制御機能の選択時に、前記運用テーブルから当該制御機能対応に登録されているパスの設定情報を抽出して画面に表示する抽出手段とを備えることを特徴とするネットワーク管理装置。
【００４９】
（付記４）  制御機能の実行時に、運用テーブル中の当該制御機能対応に登録されたパスの設定情報のうち、当該制御機能の実行対象となったパスの設定情報を削除する削除手段を更に備えることを特徴とする付記３に記載のネットワーク管理装置。
【００５０】
【発明の効果】
以上述べた如く本発明によれば、保守制御を行うための制御対象（パス等）を容易かつ適正に選択可能となるため、ネットワーク管理の能率改善及び信頼性向上に寄与するところが極めて大きい。
【図面の簡単な説明】
【図１】本発明の原理を説明する図である。
【図２】実施の形態によるネットワーク管理システムのブロック図である。
【図３】実施の形態によるパス設定処理のシーケンス図である。
【図４】実施の形態による制御機能実行処理のシーケンス図である。
【図５】実施の形態によるパスの設定動作を説明する図である。
【図６】実施の形態による制御機能の実行動作を説明する図である。
【図７】他の実施の形態によるネットワーク管理装置を説明する図である。
【図８】従来技術を説明する図である。
【符号の説明】
１０  ネットワーク管理装置
１１  コンソール（ＣＳＬ）
１２  ネットワーク管理制御装置
１３  グラフィックユーザインタフェース（ＧＵＩ）
１４  設定機能部
１５  制御機能部
１６  通信制御部
１７  運用データ管理部
２０  データベース（ＤＢ）
２１  運用テーブル
【図１】
0004589569.tif 000002
【図２】
0004589569.tif 000003
【図３】
0004589569.tif 000004
【図４】
0004589569.tif 000005
【図５】
0004589569.tif 000006
【図６】
0004589569.tif 000007
【図７】
0004589569.tif 000008
【図８】
0004589569.tif 000009